(57)【要約】  本発明は、貫通ホールが形成され、前記貫通ホールに向かって紫外線を照射するランプ部と；医療用金属を収容した容器が着脱可能に配置され得、前記貫通ホール内で移動可能に配置されるリフティング部と；前記ランプ部とリフティング部を収容し、前記貫通ホールに対応する外部ホールが形成される外部ケースと、前記外部ケースの内部に配置されて、前記ランプ部またはリフティング部が配置される内部ケースとを含むケース部と；を含む医療用金属の表面処理装置を提供する。【選択図】図２
2021523746.tif 000002
【特許請求の範囲】
【請求項１】
貫通ホールが形成され、前記貫通ホールに向かって紫外線を照射するランプ部と；
医療用金属を収容した容器が着脱可能に配置され得、前記貫通ホール内で移動可能に配置されるリフティング部と；
前記ランプ部と前記リフティング部を収容し、前記貫通ホールに対応する外部ホールが形成される外部ケースと、前記外部ケースの内部に配置されて、前記ランプ部または前記リフティング部が配置される内部ケースとを含むケース部と；を含む医療用金属の表面処理装置。
【請求項２】
前記ランプ部は、
前記貫通ホールが中心軸線上に形成されたエキシマランプと；
前記貫通ホールと対応する位置に開口が形成されて、前記エキシマランプの一側面に配置されるキャップと；を含む、請求項１に記載の医療用金属の表面処理装置。
【請求項３】
前記キャップには、前記ランプの熱を放出するための少なくとも一つ以上の放熱ホールが形成される、請求項２に記載の医療用金属の表面処理装置。
【請求項４】
前記内部ケースに配置されて、前記キャップの開口を選択的に閉鎖するドア部をさらに含む、請求項２に記載の医療用金属の表面処理装置。
【請求項５】
前記ドア部は、
前記内部ケースに配置されるドアモーターと；
自由端が前記キャップの開口と前記外部ケースの外部ホールとの間で移動するように、前記ドアモーターのシャフトに締結されて回転することによって、前記キャップの開口を選択的に閉鎖する回転片と；を含む、請求項４に記載の医療用金属の表面処理装置。
【請求項６】
前記リフティング部は、
前記内部ケースに固定されるリフティングモーターと；
前記リフティングモーターのシャフトに配置されて回転するピニオンギアと；
外周面に前記ピニオンギアと噛合するラックギアが形成され、前記貫通ホール上で移動可能に配置されるシャフトと；を含む、請求項１に記載の医療用金属の表面処理装置。
【請求項７】
前記シャフトの移動を感知するセンサー部をさらに含む、請求項６に記載の医療用金属の表面処理装置。
【請求項８】
前記センサー部は、
前記シャフトの外周面に配置される位置決定ブラケットと；
前記内部ケースに相互所定間隔離隔して前記位置決定ブラケットと接触する一対の位置感知センサー；を含む、請求項７に記載の医療用金属の表面処理装置。
【請求項９】
前記内部ケースに配置されて、前記シャフトの方向に風を流動させるファンをさらに含む、請求項６に記載の医療用金属の表面処理装置。
【請求項１０】
前記シャフトは、中空部が形成され、
前記シャフトの中空部に連通して前記ランプ部から発生したオゾンを除去するオゾン除去部をさらに含む、請求項６に記載の医療用金属の表面処理装置。
【請求項１１】
前記オゾン除去部は、
前記シャフトの中空ホールから空気を流動させるために前記内部ケースに配置される吸引ポンプと；
前記吸引ポンプに第１パイプにて連結されて流動する空気の逆流を防止し、排出パイプが連結される逆流防止器と；
前記逆流防止器に第２パイプにて連結されるオゾンフィルターと；
前記オゾンフィルターと第３パイプにて連結され、前記ランプの貫通ホールに一端が配置された前記シャフトの他端を移動可能に収容するブラケットと；を含む、請求項１０に記載の医療用金属の表面処理装置。
【請求項１２】
前記内部ケースに配置されて、前記キャップの開口を選択的に閉鎖するドア部と、前記シャフトの移動を感知するセンサー部と、前記リフティング部に連通して、前記ランプ部から発生したオゾンを除去するオゾン除去部とをさらに含み、
前記ドア部、前記リフティング部、前記センサー部または前記オゾン除去部を制御するために、前記外部ケースの内側面に配置されたり、前記内部ケースに配置される基板部をさらに含む、請求項６に記載の医療用金属の表面処理装置。
【請求項１３】
前記基板部は、前記ドア部が開放されたり、前記シャフトが上側に移動したことが感知されたときには、前記ランプ部の駆動をオフ（ｏｆｆ）させる、請求項１２に記載の医療用金属の表面処理装置。
【請求項１４】
前記基板部は、前記ランプ部の電源がオン（ｏｎ）される既設定の時間前から前記ランプ部の電源がオフ（ｏｆｆ）され、既設定の時間後まで前記オゾン除去部を駆動させる、請求項１２に記載の医療用金属の表面処理装置。
【請求項１５】
前記外部ケースには、ＩＣカードが挿入され得るスロットが形成され、
前記基板部には、前記スロットを介して挿入された前記ＩＣカードが装着されるターミナルが実装され、
前記基板部は、前記ＩＣカードが前記ターミナルに挿入されたときにのみ、前記ランプ部の駆動を印加する、請求項１２に記載の医療用金属の表面処理装置。
【発明の詳細な説明】
【技術分野】
【０００１】
本発明は、医療用金属の表面処理装置に関し、具体的に、歯インプラントのフィクスチャーの表面を親水性に維持または改質するための医療用金属の表面処理装置に関する。
【背景技術】
【０００２】
人体の内部に植立され得る医療用金属は、ヒトの生体組織に対して非常に安定した生体親和材料で製作されなければならないと共に、化学的または生理学的反応性や人体拒否反応が起きてはならない。
【０００３】
例えば、医療用金属の代表的な使用は、歯のインプラントに使用されるフィクスチャー（ｆｉｘｔｕｒｅ）がある。このようなフィクスチャーに適切な素材として多様な金属および合金の開発が試みられているが、現在は、チタニウム金属やチタニウム合金が主に用いられている。
【０００４】
しかしながら、前記チタニウムまたはチタニウム合金自体は、人体に移植時に骨融合に長時間がかかり、酸化被膜が生成されて、他の金属に比べて安定性が確保されるが、最近になって、これよりさらに改善された人体安定性の確保に対する必要性が要求されている。
【０００５】
したがって、医療用金属の表面を適切に処理することによって、骨融合を改善しうる技術が開発および適用されている。
【０００６】
具体的に、骨融合速度と関連した品質は、表面組成、表面粗さ、親水性などのような金属の表面特性および化学的組成と密接な関係がある。特に、親水性の高い表面を有する金属が生体溶液、細胞および組織との相互作用に有利であると知られている。
【０００７】
しかしながら、前記医療用金属の表面が酸化膜処理された後、時間が経過するにつれて炭素原子が結合されながら安定化され、これによって、医療用金属の表面は、低エネルギー状態の疎水性表面に転換されるので、このような医療用金属で製造されたフィクスチャーを歯槽骨にそのまま植立する場合、骨融着性能が低下し、表面が有機物により汚染された場合には、前記フィクスチャーが植立された状態で炎症を誘発することができる。
【０００８】
これを解決するために、最近になって、内部に前記フィクスチャーを装着した後、紫外線を照射して、前記フィクスチャーの表面を改質しながらも、表面に付着した有機汚染物を除去しうる表面処理用紫外線照射装置が開発されている。
【０００９】
韓国特許公開第１０−２０１８−００９２６４８号（発明の名称：インプラント用紫外線照射装置）は、フィクスチャーが収容されたインプラント容器が複数個の紫外線ランプの間に配置されて表面改質を行う従来の表面処理装置を掲載している。
【００１０】
しかしながら、このような従来の装置は、フィクスチャーの表面改質のために照射される紫外線が表面全体に均一に照射されないので、フィクスチャー全体の表面改質のために長時間紫外線に露出させなければならないので、迅速なインプラント進行をすることができない問題がある。
【００１１】
また、このような従来装置は、長時間フィクスチャーに紫外線を照射するので、発熱されたフィクスチャーを冷却しなければならない時間がさらに必要とされるので、迅速にインプラント進行をすることができない問題がある。
【００１２】
また、前記紫外線は、低温プラズマ方式で生成され得るが、このようなプラズマ方式は、オゾンの生成を伴うので、従来の医療用金属の表面改質装置の使用は、きわめて制限的な空間で使用しなければならない問題がある。
【発明の概要】
【発明が解決しようとする課題】
【００１３】
本発明は、前記のような問題点を解決するために案出したものであって、本発明の目的は、医療用金属の表面改質を効果的に行うことによって、ランプで発生するオゾンを効果的に除去して、使用安全性を確保することができる医療用金属の表面処理装置を提供することにある。
【課題を解決するための手段】
【００１４】
前記目的を達成するために、本発明は、貫通ホールが形成され、前記貫通ホールに向かって紫外線を照射するランプ部と；医療用金属を収容した容器が着脱可能に配置され得、前記貫通ホール内で移動可能に配置されるリフティング部と；前記ランプ部とリフティング部を収容し、前記貫通ホールに対応する外部ホールが形成される外部ケースと、前記外部ケースの内部に配置されて、前記ランプ部またはリフティング部が配置される内部ケースとを含むケース部と；を含む医療用金属の表面処理装置を提供する。
【００１５】
また、前記ランプ部は、前記貫通ホールが中心軸線上に形成されたエキシマランプと；前記貫通ホールと対応する位置に開口が形成されて、前記エキシマランプの一側面に配置されるキャップと；を含むことができる。
【００１６】
また、前記キャップには、前記ランプの熱を放出するための少なくとも一つ以上の放熱ホールが形成され得る。
【００１７】
また、前記内部ケースに配置されて、前記キャップの開口を選択的に閉鎖するドア部をさらに含むことができる。
【００１８】
また、前記ドア部は、前記内部ケースに配置されるドアモーターと；自由端が前記キャップの開口と前記外部ケースの外部ホールとの間で移動するように、前記ドアモーターのシャフトに締結されて回転することによって、前記キャップの開口を選択的に閉鎖する回転片と；を含むことができる。
【００１９】
また、前記リフティング部は、前記内部ケースに固定されるリフティングモーターと；前記リフティングモーターのシャフトに配置されて回転するピニオンギアと；外周面に前記ピニオンギアと噛合するラックギアが形成され、前記貫通ホール上で移動可能に配置されるシャフトと；を含むことができる。
【００２０】
また、前記シャフトの移動を感知するセンサー部をさらに含むことができる。
【００２１】
また、前記センサー部は、前記シャフトの外周面に配置される位置決定ブラケットと；前記内部ケースに相互所定間隔離隔して前記位置決定ブラケットと接触する一対の位置感知センサーと；を含むことができる。
【００２２】
また、前記内部ケースに配置されて、前記シャフト方向に風を流動させるファンをさらに含むことができる。
【００２３】
また、前記シャフトは、中空部が形成され、前記シャフトの中空部に連通して前記ランプ部から発生したオゾンを除去するオゾン除去部をさらに含むことができる。
【００２４】
また、前記オゾン除去部は、前記シャフトの中空ホールから空気を流動させるために前記内部ケースに配置される吸引ポンプと；前記吸引ポンプに第１パイプにて連結されて流動される空気の逆流を防止し、排出パイプが連結される逆流防止器と；前記逆流防止器に第２パイプにて連結されるオゾンフィルターと；前記オゾンフィルターと第３パイプにて連結され、前記ランプの貫通ホールに一端が配置された前記シャフトの他端を移動可能に収容するブラケットと；を含むことができる。
【００２５】
また、前記内部ケースに配置されて、前記キャップの開口を選択的に閉鎖するドア部と、前記シャフトの移動を感知するセンサー部と、前記リフティング部に連通して前記ランプ部から発生したオゾンを除去するオゾン除去部とをさらに含み、前記ドア部、リフティング部、センサー部またはオゾン除去部を制御するために、前記外部ケースの内側面に配置されたり、前記内部ケースに配置される基板部をさらに含むことができる。
【００２６】
また、前記基板部は、前記ドア部が開放されたり、前記シャフトが上側に移動したことが感知されたときには、前記ランプ部の駆動をオフ（ｏｆｆ）させることができる。
【００２７】
また、前記基板部は、前記ランプ部の電源がオン（ｏｎ）される既設定の時間前から前記ランプ部の電源がオフ（ｏｆｆ）され、既設定の時間後まで前記オゾン除去部を駆動させることができる。
【００２８】
また、前記外部ケースには、ＩＣカードが挿入され得るスロットが形成され、前記基板部には、前記スロットを介して挿入された前記ＩＣカードが装着されるターミナルが実装され、前記基板部は、前記ＩＣカードが前記ターミナルに挿入されたときにのみ、前記ランプ部の駆動を印加することができる。
【発明の効果】
【００２９】
本発明は、医療用金属が収容された容器の全方向に紫外線を照射しうるランプ部と、このような構造のランプ部に前記容器を装着しうるリフティング部と、前記リフティング部のシャフトを冷却させるためのファンとを含み、迅速かつ効果的に医療用金属の表面改質を具現することができる。
【００３０】
また、前記ランプ部で発生するオゾンを除去しうるオゾン除去部と、装置を制御する基板部とを含み、装置の安定した使用を図ることができる。
【図面の簡単な説明】
【００３１】
【図１】図１は、本発明の実施形態による医療用金属の表面処理装置の斜視図である。
【図２】図２は、図１で外部ケース、ランプ部およびドア部を分解した斜視図である。
【図３】図３は、図１で外部ケースが除去された斜視図である。
【図４】図４は、図３を他の角度で見た図である。
【図５】図５は、本発明の実施形態による医療用金属の表面処理装置の部分切断面図である。
【発明を実施するための形態】
【００３２】
以下、本発明の好ましい実施形態は、添付の図面を参照して詳細に説明する。
【００３３】
特別な定義がない限り、本明細書のすべての用語は、当業者が理解する用語の一般的な意味と同一であり、もし本明細書で使用された用語が当該用語の一般的な意味と衝突する場合には、本明細書に使用された定義に従う。
【００３４】
ただし、以下に記述される発明は、本発明の実施形態を説明するためのものに過ぎず、本発明の権利範囲を限定するためのものではなく、明細書の全般にわたって同一に使用された参照番号は、同じ構成要素を示す。
【００３５】
図１は、本発明の実施形態による医療用金属の表面処理装置の斜視図であり、図２は、図１で外部ケース、ランプ部およびドア部を分解した斜視図であり、図３は、図１で外部ケースが除去された斜視図であり、図４は、図３を他の角度で見た図であり、図５は、本発明の実施形態による医療用金属の表面処理装置の部分切断面図である。
【００３６】
図１〜図５を参照すると、本発明の実施形態による医療用金属の表面処理装置は、大きく、ケース部１００、ランプ部２００およびリフティング部３００を含むことができ、ドア部４００、センサー部５００、ファン６００、オゾン除去部７００または基板部８００をさらに含むことができる。
【００３７】
ここで、医療用金属は、人体の内部に植立され得るすべての種類の金属を含むことができ、すべての種類の医療用部品でありうる。例えば、医療用金属の材質は、チタニウムまたはチタニウム合金であり得、歯槽骨に植立されるインプラント用フィクスチャーでありうる。
【００３８】
ケース部１００は、後述するランプ部２００とリフティング部３００を収容し、後述するランプ部２００の貫通ホール２１１に対応する外部ホール１１１ａが形成される外部ケース１１０と、前記外部ケース１１０の内部に配置されて、後述するランプ部２００またはリフティング部３００が配置される内部ケース１２０とを含むことができる。
【００３９】
前記外部ケース１１０は、本発明の実施形態による医療用金属の表面処理装置の外観を形成することができ、上部ケース１１１、側面ケース１１２および下部ケース１１３とに分離され得るが、これに限定されるものではない。
【００４０】
また、前記外部ホール１１１ａは、前記上部ケース１１１の上側面に形成され得るが、これに限定されるものではなく、前記ランプ部２００の貫通ホール２１１が配置される方向に形成され得る。
【００４１】
また、前記下部ケース１１３には、外部から電源を印加される電源部が連結され得る端子部１１３ａが配置され得、前記端子部１１３ａは、後述するドアモーター４１０、リフティングモーター３１０、ファン６００または基板部８００に電源を供給することができる。
【００４２】
また、前記外部ケース１１０には、ＩＣカード２０が挿入され得るスロット１１２ａが形成され得、例えば、前記スロット１１２ａは、前記側面ケース１１２および／または下部ケース１１３に形成され得る。
【００４３】
前記内部ケース１２０は、後述する構成要素の配置のために、前記外部ケース１１０の内部に配置され得る。
【００４４】
例えば、図示されたように、前記内部ケース１２０は、前記下部ケース１１３上に保持される第１内部ケース１２１を含むことができ、前記下部ケース１１３と前記第１内部ケース１２１との間には、後述するオゾン除去部７００が配置され得る。
【００４５】
また、前記第１内部ケース１２１の上側には、第２内部ケース１２２が配置され得、前記第１内部ケース１２１と第２内部ケース１２２との間には、後述するリフティング部３００、センサー部５００およびファン６００が配置され得る。
【００４６】
また、前記第１内部ケース１２１と第２内部ケース１２２の側面には、第３内部ケース１２３が少なくとも一つ以上配置され得、このような第３内部ケース１２３には、後述する基板部８００が配置され得る。
【００４７】
また、前記第２内部ケース１２２の上側には、後述するランプ部２００とドア部４００は上側に配置し、残りの構成要素は下側に配置されるように、前記外部ケース１１０の内部空間を区切る第４内部ケース１２４を含むことができる。
【００４８】
また、前記第１内部ケース１２１〜第４内部ケース１２４は、前記外部ケース１１０の形状または内部構成要素の配置によって一体型に形成されることもできる。
【００４９】
ランプ部２００は、貫通ホール２１１が形成され、前記貫通ホール２１１に向かって紫外線を照射することができ、これによって、医療用金属が収容された容器１０の全方向に紫外線を照射することができる。
【００５０】
具体的に、前記ランプ部２００は、前記貫通ホール２１１が中心軸線上に形成されたエキシマランプ２１０と、前記貫通ホール２１１と対応する位置に開口２２１が形成されて、前記エキシマランプ２１０の一側面に配置されるキャップ２２０とを含むことができる。
【００５１】
ここで、前記エキシマランプ２１０（ｅｘｃｉｍｅｒ  ｌａｍｐ）は、内周面が石英（ｑｕａｒｔｚ）材質の容器１０の内部に放電ガスが充填された真空圧の状態で備えられ、内側に放電電極が備えられる。
【００５２】
また、前記放電ガスは、フッ素（ｆｌｕｏｒｉｎｅ）、塩素（ｃｈｌｏｒｉｎｅ）などのハロゲンガスまたはゼノン（キセノン、ｘｅｎｏｎ）、クリプトン（ｋｒｙｐｔｏｎ）などのガスで備えられる。
【００５３】
前記放電電極は、棒、スプリング、パイプまたは導電性テープの形態で備えられる。また、前記放電電極は、アルミニウム、アルミニウム合金、ジュラルミン、銅および銅合金などの電気伝導度に優れた導電性物質、シルバーペースト、ＩＴＯ（Ｉｎｄｉｕｍ  Ｔｉｎ  Ｏｘｉｄｅ）、ＡＴＯ（Ａｌｕｍｉｎｕｍ  Ｔｉｎ  Ｏｘｉｄｅ）などの導電性コーティング溶液および復元力に優れたステンレススチールなどの合金鋼の中から選ばれたいずれか一つで形成され得る。
【００５４】
このようなエキシマランプ２１０は、前記容器１０内に真空圧の状態で充填された前記放電ガスが、前記放電電極で形成される電気力により放電されることによって、エクシマ分子（励起状態の分子）が形成される。そして、前記エクシマ分子が基底状態に遷移されるとき、既設定の波長の紫外線を放出する。
【００５５】
放出された紫外線は、外側に照射されず、石英材質で形成された内側方向にのみ照射され得る。
【００５６】
したがって、本発明は、医療用金属が収容された容器１０の全方向に前記エキシマランプ２１０から照射される紫外線が照射されるので、前記医療用金属の表面が効果的に親水性に改質され得、残存する有機物を分解したり除去して、殺菌および洗浄作用も同時に行われ得る。
【００５７】
この際、前記エキシマランプ２１０は、真空圧状態の前記容器１０の内部で１００〜２００ｎｍの波長を有するＵＶ−Ｃの範囲の遠紫外線、特に、真空紫外線が照射され得る。このような真空紫外線は、真空圧状態で多量に放出されて、光量が豊富であり、短波長の高エネルギーを有するので、前記医療用金属の表面が短時間に迅速に改質され得る。
【００５８】
また、２００〜２８０ｎｍの波長を有するＵＶ−Ｃの範囲の遠紫外線が照射され得、このような遠紫外線は、前記容器１０の内・外部に存在する酸素分子が結合エネルギーを超過するエネルギー衝撃を通じて外郭電子が励起状態に転換されることによって、反応性発生基であるオゾンに転換される。
【００５９】
これを通じて、前記医療用金属の表面に沈着される炭素原子が前記オゾンと結合されて分離されることによって、前記医療用金属の表面が低エネルギー状態の疎水性から高エネルギー状態の親水性に転換され得る。
【００６０】
一方、オゾンは、人体に有害なので、本発明は、前記ランプ部２００で生成されたオゾンを処理しうる技術的思想を含むことができ、これは、後述するオゾン除去部７００とともに詳細に説明する。
【００６１】
前記キャップ２２０は、前記エキシマランプ２１０の上側面に配置され得、前記内部ケース１２０、例えば、第２内部ケース１２２または第４内部ケース１２４にボルト締結のような方式で締結されて、前記エキシマランプ２１０を堅固に固定させることができる。
【００６２】
また、前記キャップ２２０の開口２２１は、前記エキシマランプ２１０の貫通ホール２１１と上部ケース１１１の外部ホール１１１ａと同一軸線上に配置されるように形成され得る。
【００６３】
また、前記キャップ２２０には、前記ランプの熱を放出するための少なくとも一つ以上の放熱ホール２２２が形成され得、これによって、前記医療用金属の温度を迅速に低減することができる。
【００６４】
前述したように、本発明は、ドア部４００をさらに含むことができ、前記ドア部４００は、前記内部ケース１２０に配置されて、前記キャップ２２０の開口２２１を選択的に閉鎖することができる。
【００６５】
このようなドア部４００は、前記貫通ホール２１１と開口２２１を閉鎖して、外部異物の流入を遮断すると同時に、前記ランプ部２００で発生する熱とオゾンの放出を防止することができる。
【００６６】
具体的に、前記ドア部４００は、前記内部ケース１２０に配置されるドアモーター４１０と、自由端が前記キャップ２２０の開口２２１と前記外部ケース１１０の外部ホール１１１ａとの間で移動するように、前記ドアモーター４１０のシャフト４１１に締結されて回転することによって、前記キャップ２２０の開口２２１を選択的に閉鎖する回転片４２０とを含むことができる。
【００６７】
また、前記ドアモーター４１０は、前記第４内部ケース１２４上に固定され得、前記キャップ２２０の開口２２１を選択的に閉鎖するという意味は、後述する基板部８００の制御またはユーザのコントロールパネル８１０の操作によって前記キャップ２２０の開口２２１を密閉することができることを意味する。
【００６８】
リフティング部３００は、医療用金属を収容した容器１０が着脱可能に配置され得、前記貫通ホール２１１内で移動可能に配置され得る。
【００６９】
具体的に、前記リフティング部３００は、前記内部ケース１２０に固定されるリフティングモーター３１０と、前記リフティングモーター３１０のシャフト３３０に配置されて回転するピニオンギア３２０と、外周面に前記ピニオンギア３２０と噛合するラックギア３３１が形成され、前記貫通ホール２１１上で移動可能に配置されるシャフト３３０とを含むことができる。
【００７０】
また、前記リフティングモーター３１０は、後述する基板部８００の制御またはユーザのコントロールパネル８１０の操作によって駆動され得、例えば、前記第２内部ケース１２２の側面にボルト締結されて固定され得る。
【００７１】
また、前記シャフト３３０の一側は、前記医療用金属が収容された容器１０が着脱可能に配置され得、前記ランプ部２００の貫通ホール２１１に沿って移動し得、前記シャフト３３０の他側は、後述するブラケット７４０の内部に沿って移動することができる。
【００７２】
また、前記シャフト３３０は、中空部３３２が形成され得、前記中空部３３２は、後述するオゾン除去部７００と連通してオゾンが除去され得る。
【００７３】
前述したように、本発明は、センサー部５００をさらに含むことができ、前記センサー部５００は、前記シャフト３３０の移動を感知することができる。
【００７４】
具体的に、前記センサー部５００は、前記シャフト３３０の外周面に配置される位置決定ブラケット５１０と、前記内部ケース１２０に相互所定間隔離隔して前記位置決定ブラケット５１０と接触する一対の位置感知センサー５２０とを含むことができる。
【００７５】
このようなセンサー部５００によりセンシングされた前記シャフト３３０の位置は、後述する基板部８００に伝達され得、このような位置情報によって後述する基板部８００は、前記ドア部４００および／または後述するファン６００とオゾン除去部７００などを制御することができる。
【００７６】
前述したように、本発明は、ファン６００をさらに含むことができ、前記ファン６００は、前記内部ケース１２０に配置されて、前記シャフト３３０の方向に風を流動させることができる。
【００７７】
例えば、前記ファン６００は、前記第２内部ケース１２２に配置され得る。
【００７８】
また、前記シャフト３３０を間に置いて前記リフティングモーター３１０と対向するように配置されて、効果的に前記シャフト３３０を冷却させて、医療用金属をも迅速に冷却させることができる。
【００７９】
また、前記ファン６００は、後述する基板部８００により駆動が制御され得、例えば、前記基板部８００は、前記ランプ部２００の電源がオン（ｏｎ）され、既設定の時間が経過した後から前記ランプ部２００の電源がオフ（ｏｆｆ）され、既設定の時間後まで前記ファン６００を駆動させることができる。
【００８０】
前述したように、本発明は、オゾン除去部７００をさらに含むことができ、前記オゾン除去部７００は、前記リフティング部３００に連通して前記ランプ部２００から発生したオゾンを除去することができる。
【００８１】
具体的に、前記オゾン除去部７００は、吸引ポンプ７１０、逆流防止器７２０、オゾンフィルター７３０およびブラケット７４０を含むことができ、このような各構成要素は、第１パイプ７５０〜第３パイプ７８０にて連通することができる。
【００８２】
前記吸引ポンプ７１０は、前記シャフト３３０の中空ホールから空気を流動させるために、前記内部ケース１２０に配置され得、例えば、前記下部ケース１１３上に配置され得る。
【００８３】
前記逆流防止器７２０は、前記吸引ポンプ７１０に第１パイプ７５０にて連結されて、流動する空気の逆流を防止し、排出パイプ７６０が連結されて、後述するオゾンフィルター７３０から浄化した空気を排出パイプ７６０に排出することができる。
【００８４】
例えば、前記排出パイプ７６０は、前記下部ケース１１３の底面に向かうように配置され得、前記下部ケース１１３は、底面に排出孔（不図示）が少なくとも一つ以上形成され得る。
【００８５】
前記オゾンフィルター７３０は、前記逆流防止器７２０に第２パイプ７７０にて連結され得、後述する第３パイプ７８０から流入するオゾンが含まれた空気からオゾンを除去することができる。
【００８６】
前記ブラケット７４０は、前記オゾンフィルター７３０と第３パイプ７８０にて連結され、前記エキシマランプ２１０の貫通ホール２１１に一端が配置された前記シャフト３３０の他端を移動可能に収容することができる。
【００８７】
例えば、前記ブラケット７４０は、前記シャフト３３０を移動可能に収容するための第１ホールと、前記第１ホールより小さい直径を有するように形成されて、前記第１ホールと連通し、前記第３パイプ７８０と連通する第２ホールが内部に形成され得る。
【００８８】
すなわち、前記第１ホールと第２ホールが成す段差は、結局、前記シャフト３３０が保持され得る段差部を形成することができる。
【００８９】
すなわち、前記吸引ポンプ７１０の駆動によって前記ランプの貫通ホール２１１に存在するオゾンが含まれた空気は、前記シャフト３３０の中空部３３２を介してオゾンフィルター７３０に流入してオゾンが除去され、前記逆流防止器７２０の排出パイプ７６０から前記下部ケース１１３の方向に排出され得る。
【００９０】
このような空気の流動は、オゾンを除去することができると共に、前記ランプの貫通ホール２１１と前記シャフト３３０の中空部３３２の冷却を図ることができる。
【００９１】
前述したように、本発明は、基板部８００をさらに含むことができ、前記基板部８００は、前記ドア部４００、リフティング部３００、感知センサー部５００またはオゾン除去部７００を制御するために、前記外部ケース１１０の内側面に配置されたり、前記内部ケース１２０に配置され得る。
【００９２】
また、前記基板部８００は、前記外部ケース１１０の外側に配置されるコントロールパネル８１０と電気的に連結され得る。
【００９３】
また、前記コントロールパネル８１０は、使用状態などを表示しうるディスプレイを含み、これは、タッチパネルで具現されることもできる。
【００９４】
また、前記基板部８００は、前記ドア部４００が開放されたり、前記シャフト３３０が上側に移動したことが感知されたときには、前記ランプ部２００の駆動をオフ（ｏｆｆ）させることができ、これによって、前記ランプ部２００から発生しうるオゾンの外部放出を未然に防止することができる。
【００９５】
また、前記基板部８００は、前記ランプ部２００の電源がオン（ｏｎ）される既設定の時間前から前記ランプ部２００の電源がオフ（ｏｆｆ）され、既設定の時間後まで前記オゾン除去部７００を駆動させて、前記ランプ部２００から発生したオゾンを効果的に除去することができる。
【００９６】
また、前記基板部８００には、前記スロット１１２ａを介して挿入された前記ＩＣカード２０が装着されるターミナルが実装され、前記基板部８００は、前記ＩＣカード２０が前記ターミナルに挿入されたときにのみ、前記ランプ部２００の駆動を印加して、作動安全性をさらに向上させることができる。
【００９７】
また、前記基板部８００は、個別的な前記ＩＣカード２０に既設定の回数ぐらい前記ランプ部２００が駆動されたかを判断して、既設定の回数ぐらい前記ランプ部２００が駆動された場合、前記ランプ部２００の駆動を遮断させることができる。
【００９８】
要するに、本発明は、医療用金属が収容された容器１０の全方向に紫外線を照射しうるランプ部２００と、このような構造のランプ部２００に前記容器１０を装着しうるリフティング部３００と、前記リフティング部３００のシャフト３３０を冷却させるためのファン６００とを含み、迅速かつ効果的に医療用金属の表面改質を具現することができる。
【００９９】
また、前記ランプ部２００で発生するオゾンを除去しうるオゾン除去部７００と、装置を制御する基板部８００とを含み、装置の安定した使用を図ることができる。
【０１００】
以上、前記説明により、当業者なら本発明の技術的思想を逸脱しない範囲で多様な変更および修正が可能であることが分かり、本発明の技術的範囲は、実施形態に記載された内容に限定されるものではなく、特許請求範囲およびそれと均等な範囲により定めらなければならない。
【図１】
2021523746.tif 000003
【図２】
2021523746.tif 000004
【図３】
2021523746.tif 000005
【図４】
2021523746.tif 000006
【図５】
2021523746.tif 000007
【国際調査報告】
2021523746.tif 000008
2021523746.tif 000009
2021523746.tif 000010
2021523746.tif 000011